(57)【要約】  本発明は液状化粧品を少量収納するようにパウチ型に製造される化粧品容器に関し、リップグロス、マスカラ、アイライナーなどの液状化粧品を少量収納して簡便に携帯するように製造されるパウチの排出部材に蓋の着脱と化粧用具の往来及びレール移動案内手段を設置して蓋の着脱及び化粧用具の往来を通じて室内外で便利に化粧料を取って利用することができながら、最初開放可否の確認及び自動販売機などの展示及び販売が容易で、また、安定的な把持を通じた微細なタッチを可能にして色に敏感な若年層の多様な欲求を充足させることができるパウチ型液状メーキャップ化粧品容器に関する。
2021526440.tif 000002
【特許請求の範囲】
【請求項１】
液状化粧品を少量収納するように辺縁がシーリングされて形成されるパウチ（１０）の開放部（１１）に排出部材（２０）を緊密に設置し、支持部（３１）によって化粧用具（３２）が付加的に設置された蓋（３０）を前記排出部材（２０）にねじ結合または分離してパウチ（１０）を密閉したり開放するように構成されるパウチ型液状メーキャップ化粧品容器において、
前記排出部材（２０）は、
本体の下部にパウチ（１０）の開放部（１１）の内側に緊密に挿入されて接着される接地部（２１）が形成され、前記接地部（２１）の上部に排出口（２２）が延設され、前記接地部（２１）と排出口（２２）につながる本体の内側には化粧用具（３２）及び支持部（３１）の往来のための排出孔（２２ａ）が本体の中央部で上下に貫通されるように形成され、前記排出口（２２）の外周面に蓋（３０）のねじ結合のための螺糸山（２２ｂ）が形成され、前記排出口（２２）の本体の下部外周面には前記接地部（２１）でその上部へ所定間隔離隔された位置の高さに前記蓋（３０）と排出部材（２０）との間の結合深みを制限するための蓋ストッパ（２６）が形成され、前記蓋ストッパ（２６）の下部には前記排出口（２２）の本体外周面に沿って放射状に所定間隔離隔されるように突出して形成されて、蓋（３０）の帯バンドに対する回転動作を制限する複数の帯バンドストッパ（２５）が形成され、
前記蓋（３０）は、
本体下辺縁部で上辺縁部へ所定距離離隔された位置の高さに本体の周りに沿って仮切り取り線（３４ａ）が形成され、本体の回転動作または外力による前記仮切り取り線（３４ａ）の切断によって本体の一部を自由に分離して蓋の最初開放可否を確認可能にする帯バンド（３４）が形成されたことを特徴とするパウチ型液状メーキャップ化粧品容器。
【請求項２】
前記開放部（１１）は、
パウチ（１０）の上部の二つの角の中の何れか一つを斜線に切断して横辺または縦辺に対して傾斜するように形成されることを特徴とする請求項１に記載のパウチ型液状メーキャップ化粧品容器。
【請求項３】
前記パウチ（１０）は、
表面の少なくとも何れか一側に反射体（１２）が付着されて、化粧時に簡易鏡として利用することができるようにしたことを特徴とする請求項１に記載のパウチ型液状メーキャップ化粧品容器。
【請求項４】
前記排出部材（２０）は、
前記接地部（２１）の上辺縁部にはレールの移動を案内するためのレール案内部（２４）が接地部（２１）の本体の側面に水平に所定長さ突出されて形成されて自動化器機のレール上でパウチのスライド移動を案内するように構成されることを特徴とする請求項１に記載のパウチ型液状メーキャップ化粧品容器。
【請求項５】
前記排出部材（２０）は、
前記接地部（２１）の下辺縁部に前記パウチ（１０）の開口部（１１）の中心での化粧用具（３２）の挿入及び上下移動案内のための漏斗部（２３）が延設され、前記漏斗部（２３）は下部に行くほど狭くなり、化粧用具（３２）の往来のための下辺縁出口（２３ａ）が形成されることを特徴とする請求項１に記載のパウチ型液状メーキャップ化粧品容器。
【請求項６】
前記漏斗部（２３）の下辺縁出口（２３ａ）は、前記化粧用具（３２）の引出時に過量の化粧料の引出防止及び支持部（３１）の左右流動防止のために前記支持部（３１）を固定することができる大きさの直径に形成されることを特徴とする請求項５に記載のパウチ型液状メーキャップ化粧品容器。
【請求項７】
前記蓋（３０）は、
前記蓋（３０）の上辺縁部でその上部へ本体が所定の長さに延設されて安定的な把持を通じて微細なタッチを容易にする取っ手（３３）が形成されることを特徴とする請求項１に記載のパウチ型液状メーキャップ化粧品容器。
【請求項８】
前記化粧用具（３２）は、
前記蓋（３０）の内側に一側辺縁部が固定された支持部（３１）の他側辺縁部に着脱可能に支持及び固定され、前記支持部（３１）の下辺縁部に化粧用具（３２）を着脱するための組立具（３１ａ）が形成され、前記化粧用具（３２）の上辺縁部に前記支持部（３１）の組立具（３１ａ）に対応して組み立てるための結合部（３２ａ）が形成され、化粧用途によって支持部（３１）から分離または再結合可能にしたことを特徴とする請求項１に記載のパウチ型液状メーキャップ化粧品容器。
【発明の詳細な説明】
【技術分野】
【０００１】
本発明は液状化粧品を少量収納するようにパウチ型に製造される化粧品容器に関するもので、より詳しくは、リップグロス、マスカラ、アイライナーなどの液状化粧品を少量収納して簡便に携帯するように製造されるパウチの排出部材に蓋の着脱と化粧用具の往来及びレール移動案内手段を設置して蓋の着脱及び化粧用具の往来を通じて室内外で便利に化粧料を取って利用することができながら、最初開放可否の確認及び自動販売機などの展示及び販売が容易で、また安定的な把持を通じた微細なタッチを可能にして色に敏感な若年層の多様な欲求を充足することができるパウチ型液状メーキャップ化粧品容器に関する。
【背景技術】
【０００２】
一般に、化粧品は粉末や液体などの形態で化粧品容器に収容されてから蓋で密閉される構造をなしているが、リップグロス、マスカラ、アイライナーなどのような液状のメーキャップ化粧品はその特性上完全に密閉されずに保管されたり長期間用いる場合、固まったり変質される虞があり、制限された空間を具備した液状化粧品容器に少量収容されて流通されている。
【０００３】
また、このような液状のメーキャップ化粧品は、使用時に大体別途の化粧用ブラシやチップを利用しなければならないので、容器の蓋に使用者の便宜のために別途の化粧用ブラシやチップを付加的に設置して製造及び販売する実状であり、値段的も一般の化粧品に比べて比較的高い場合が大部分である。
【０００４】
そこで、このようなメーキャップ化粧品は一度購買すると比較的長い期間用いることから、色に敏感で、多様な表現を望む使用者、または比較的経済力の低い使用者の場合、メーキャップ化粧品を利用した多様な表現が自由でないという短所がある。
【０００５】
これに関して、大韓民国登録実用新案第２０−０４１４８４２号公報（名称：パウチタイプのメーキャップ化粧品容器、以下「特許文献１」と略称する）には、パウチ型に製造された液状のメーキャップ化粧品容器のパウチの上部に化粧用具としてのブラシまたはチップが付着された蓋を結合及び分離させることができる排出部材を設置したパウチ型メーキャップ化粧品容器が開示されている。
【０００６】
前記特許文献１によれば、リップグロスとマスカラなどのメーキャップ化粧品を少量収納可能に製造されるパウチにブラシを装着することができる排出部材を設置して従来の化粧品容器のデザインから脱皮し、同時にパウチに収容された化粧料をブラシに取って便利に使用するようにし、低容量多色の多様な化粧品容器を提供することにより色に敏感な若年層の欲求を充足することができるようにした。
【０００７】
しかしながら、上記のような従来のメーキャップ化粧品容器は収納または携帯のために蓋の長さを比較的短く形成するが、蓋を取っ手として用いて化粧用ブラシやチップで唇、眉毛、アイラインなどをタッチする時、蓋を安全に把持することができなくて、精巧で、微細なタッチを必要とする時、その使用が相応しくないという短所があった。
【０００８】
そこで、最近には価格の負担なしに廉価で簡便に収納及び携帯して室内外で微細にタッチすることができるようにする低容量のメーキャップ化粧品が収納されたパウチ型化粧品容器などが要求されている。
【発明の概要】
【発明が解決しようとする課題】
【０００９】
そこで、本発明は上記の問題点を解決するために案出したもので、本発明が解決しようとする技術的課題は、リップグロス、マスカラ、アイライナーなどの液状化粧品を少量収納して簡便に携帯するように製造されるパウチに化粧用具の往来と蓋の着脱、適正量の化粧料の引出及びレールの移動を案内するための排出部材を設置し、排出部材と結合または分離される蓋に化粧用具と帯バンド及び取っ手を設置して蓋の着脱及び化粧用具の往来を通じて室内外で便利にパウチに収容された化粧料を簡単に取って用いることができながら、帯バンドを利用した蓋の最初開放可否の確認及び自動販売機などのレールの移動を利用した展示と販売を容易にし、またパウチの表面一側に付着された反射体を簡易鏡として利用することができるようにすることにより、従来の化粧品容器のデザインから脱皮し、同時に蓋の取っ手を利用した安定的な把持を通じて微細なタッチを可能にすることにより、色に敏感な若年層の多様な欲求を充足することができるパウチ型液状メーキャップ化粧品容器を提供することにある。
【課題を解決するための手段】
【００１０】
上記目的を達するための本発明の一実施形態は、液状化粧品を少量収納するように辺縁がシーリングされて形成されるパウチの開放部に排出部材を緊密に設置し、支持部によって化粧用具が付加設置された蓋を排出部材にねじ結合または分離してパウチを密閉または開放するように構成されるパウチ型液状メーキャップ化粧品容器において、排出部材は本体の下部にパウチの開放部の内側に緊密に挿入されて接着される接地部が形成され、接地部の上部に排出口が延設され、接地部と排出口につながる本体内側に化粧用具及び支持部の往来のための排出孔が本体の中央部で上下に貫通されるように形成され、排出口の外周面に蓋のねじ結合のための螺糸山が形成され、排出口の本体下部の外周面に接地部でその上部へ所定間隔離隔された位置の高さに蓋と排出部材との間の結合深みを制限するための蓋ストッパが形成され、蓋ストッパの下部に排出口の本体外周面に沿って放射状に所定間隔離隔されるように突出して形成されて蓋の帯バンドに対する回転動作を制限する複数の帯バンドストッパが形成され、蓋は本体の下辺縁部で上辺縁部へ所定距離離隔された位置の高さに本体の周りに沿って仮切り取り線が形成され、本体の回転動作または外力による仮切り取り線の切断動作によって本体の一部を自由に分離させて蓋の最初開放可否を確認可能にする帯バンドが形成されたパウチ型液状メーキャップ化粧品容器である。
【００１１】
上記目的を達するための本発明の一実施形態において、蓋はその上辺縁部でその上部へ本体が所定の長さ延設されて安定的な把持を通じて微細なタッチを容易にする取っ手が形成されることができ、排出部材は接地部の上辺縁部にレールの移動を案内するためのレール案内部が接地部の本体の側面に水平に所定の長さ突出されて形成されて自動化器機のレール上でスライド移動を案内するように構成されることができ、化粧用具は蓋の内側に一側辺縁部が固定された支持部の他側辺縁部に着脱可能にねじ結合されて化粧用途によって支持部から分離または再結合できるようにしたものであってもよく、パウチは表面の少なくとも何れか一側に反射体が付着されて、化粧時に簡易鏡として利用することができるようにしたものであってもよい。
【発明の効果】
【００１２】
本発明によれば、リップグロス、マスカラ、アイライナーなどの液状化粧品を少量収納して簡便に携帯するように製造されるパウチの排出部材に化粧用具の往来と蓋の着脱及び化粧料の過量引出防止手段が設置され、また蓋に化粧用具と取っ手が設置されるので、蓋の着脱及び化粧用具の往来を通じて室内外で便利にパウチに収容された化粧料を簡単に取って用いることができるようにする利点を提供することができる。
【００１３】
また、本発明によれば、排出部材にレール移動案内手段が設置されるので、このようなレール移動案内手段で自動販売機などでのレール移動を通じた展示と販売が容易になるという長所があり、また、蓋に帯バンドが設置されるので、蓋の帯バンドを利用して蓋の最初開放可否を確認することができるという利点を提供することができる。
【００１４】
また、本発明によれば、パウチの表面一側に付着された反射体を簡易鏡として利用することができるので、従来の化粧品容器のデザインから脱皮し、同時に蓋の取っ手を利用した安定的な把持を通じて微細なタッチを可能にして色に敏感な若年層の多様な欲求を充足することができるという利点を提供する。
【図面の簡単な説明】
【００１５】
【図１】本発明によるパウチ型液状メーキャップ化粧品容器の組み立て斜視図である。
【図２】本発明によるパウチ型液状メーキャップ化粧品容器の分離斜視図である。
【図３】図２の化粧用具の結合及び分離動作を説明するために例示した参照図である。
【発明を実施するための形態】
【００１６】
以下、本発明の好ましい実施形態によるパウチ型液状メーキャップ化粧品容器の構成と動作及びそれによる作用効果を添付図面を参照して詳しく説明する。
【００１７】
本明細書及び特許請求範囲に用いられた用語や単語は通常的または辞書的意味に限定して解釈されてはならなく、発明者はその自分の発明を最も最善の方法で説明するために用語の概念を適切に定義することができるという原則に即して本発明の技術的思想に符合する意味や概念に解釈すべきである。従って、本明細書に記載された実施例と図面に図示された構成は本発明の最も好ましい一実施例に過ぎず、本出願時点においてこれらを取り替えることができる多様な均等物と変形例があり得ることを理解すべきである。
【００１８】
図１は本発明によるパウチ型液状メーキャップ化粧品容器の組み立て斜視図であり、図２は本発明によるパウチ型液状メーキャップ化粧品容器の分離斜視図であり、図３は図２の化粧用具の結合及び分離動作を説明するために例示した参照図である。図面に例示したように、本発明のパウチ型液状メーキャップ化粧品容器は、傾斜した開放部１１及び反射体１２を有するパウチ１０と、レール案内部２４と帯バンドストッパ２５及び蓋ストッパ２６を有する排出部材２０と、延長された取っ手３３と分離可能な帯バンド３４を有する蓋３０とを含んで構成され、このような本発明のパウチ型液状メーキャップ化粧品容器は、液状化粧品を少量収納するように辺縁がシーリングされて形成されるパウチ１０の開放部１１に排出部材２０を緊密に設置し、排出部材２０に蓋３０を結合してパウチ１０の内部を密閉させるか排出部材２０から蓋３０を分離させることができるようになったパウチ型液状メーキャップ化粧品容器に適用されて具現されることができる。
【００１９】
パウチ１０は、図１及び図２に例示したように、液状化粧品を少量収納するように辺縁がシーリングされて形成され、このようなパウチ１０の上部二つの角の中の何れか一つを斜線に切断して開放部１１を形成する。このような開放部１１はパウチ１０の横辺または縦辺に対して傾斜するように形成してパウチ１０の把持及び蓋３０の把持を容易に構成することが好ましく、パウチ１０の表面の中の少なくとも何れか一側には反射体１２が付着されて化粧時に簡易鏡として利用することができるように構成することができる。
【００２０】
また、このようなパウチ１０は開放部１１を基準として各両側部には空間形成が排除されるようにパウチの内側部分を互いに接着して接着部１０ａ、１０ｂを形成し、開放部１１を中心として化粧用具が挿入される中央部分の所定領域には空間形成が許容される収容部１０ｃを形成して液状化粧品が収納されることができる構造にして比較的少量の化粧料を保管するように構成することが好ましい。
【００２１】
排出部材２０はパウチ１０の開放部１１の内側に緊密に挿入されて接着される接地部２１が下部に形成され、接地部２１の上部に排出口２２が延設される。また、このような排出部材２０の接地部２１と排出口２２につながる本体の内側にはブラシまたはチップなどの化粧用具３２が挿入及び貫通可能な排出孔２２ａがその中央部で上下に貫通されるように形成され、排出口２２の外周面には蓋３０がねじ結合されることができる螺糸山２２ｂが形成される。また、このような排出部材２０は接地部２１の下辺縁部にパウチ１０の開口部１１の中心での化粧用具３２の挿入と上下移動案内及び適正量の化粧料を引出するための漏斗部２３が延設される。このような漏斗部２３は下部へ行くほど狭くなり、化粧用具３２の往来のための下辺縁出口２３ａが形成される。漏斗部２３の下辺縁出口２３ａはブラシまたはスポンジなどで構成される化粧用具３２に過量の化粧料が吸収された状態に引出されることを防止することができるようにするために、支持部３１の直径に対応する大きさに化粧用具３２の直径を圧縮して、化粧用具３２の引出時に化粧料が過量に引出されることを防止し、また、支持部３１の左右流動を防止するために支持部３１を固定することができる大きさの直径に形成されることが好ましい。
【００２２】
また、このような排出部材２０の排出口２２の本体の下部外周面には接地部２１でその上部へ所定間隔離隔された位置の高さに蓋３０と排出部材２０との間の結合深みを制限するための蓋ストッパ２６が形成され、蓋ストッパ２６の下部には帯バンドストッパ２５が排出口２２の本体の外周面に沿って放射状に突出されて所定間隔離隔されるように複数が形成されて蓋３０に形成される帯バンドの回転動作を制限するように構成される。
【００２３】
また、このような排出部材２０の接地部２１の上辺縁部にはレールの移動を案内するためのレール案内部２４が接地部２１の本体の側面に水平に所定長さ突出して形成されて、自動販売機などでの無人販売のための収納、展示または販売に必要なレール上でスライド移動や、または自動化システムまたは装置での製造工程の間の移動を案内するように構成される。このようなレール案内部２４は自動化機器のレールに安定的に設置することができるようにするために円形または６角形または８角形の中の何れか一つの形状に形成されることができる。
【００２４】
蓋３０は排出部材２０のねじ結合のための排出部材結合部３６及びねじ溝３６ａが本体内側に形成されて排出部材２０とねじ結合されてパウチ１０の内部を密閉したり排出部材２０で分離されて蓋３０の内側の化粧用具３２（ブラシまたはチップ）で化粧料をつけてメーキャップすることができるように具現されることができる。このような蓋３０は排出部材結合部３６の内側に支持部３１の上辺縁部が固定されて内設され、支持部３１の下辺縁部には化粧用具３２を固定及び支持させて設置する。
【００２５】
このような化粧用具３２はブラシまたはスポンジまたはチップで構成されることができ、図３に例示したように、支持部３１の辺縁部に着脱可能にねじ結合されて、必要によって化粧用途に合わせて支持部３１から分離または再結合可能にしたものが用いられることができる。このために、支持部３１の下辺縁部には化粧用具３２の着脱のための組立具３１ａが形成されることができ、化粧用具３２の上辺縁部には前記支持部３１の組立具３１ａに対応して着脱するための結合部３２ａが形成されることができる。
【００２６】
また、このような蓋３０は、その下部には本体の下辺縁部から所定距離離隔された位置の高さに本体の周りに沿って仮切り取り線３４ａを形成して最初製造の時には蓋３０と一体であるが、回転動作や外力による仮切り取り線３４ａの切断によって蓋３０から本体が自由に分離されて最初開放可否を確認することができる帯バンド３４を形成する。このような帯バンド３４にはその内周面に排出部材２０の帯バンドストッパ２５が挿入及び安着されることができる複数の帯バンドストッパ安着溝３４ｂが形成されることができる。
【００２７】
また、このような蓋３０にはその上辺縁部で本体を上部へ所定長さ延長させて取っ手３３を形成することにより、このような取っ手３３を利用して蓋３０を安定的に把持することができるようにし、従って、蓋３０の内側に付加設置された化粧用具３２に化粧料をつけて化粧する時微細にタッチすることができるようにする。
【００２８】
以上のように構成された本発明によるパウチ型液状メーキャップ化粧品容器の作用効果を説明すれば次の通りである。
【００２９】
まず、パウチ１０は、図１及び図２に例示したように、パウチ１０の表面の中の少なくとも何れか一側に反射体１２を付着して化粧時に簡易鏡として利用することができるように形成した後、パウチ１０の辺縁をシーリングし、このように辺縁がシーリングされたパウチ１０の上部二つの角の中の何れか一つを斜線に切断してパウチ１０の横辺または縦辺に対して傾斜するように開放部１１を形成し、それにより排出部材２０をパウチ１０の斜線方向で開放部１１を通じて容易に挿入することができるようにし、また、後で使用時にパウチ１０と蓋３０の把持を容易にする。
【００３０】
次に、パウチ１０の開放部１１を中心としてその両側の本体の内側部分は接着して接着部１０ａ、１０ｂを形成するので空間形成を排除させ、開放部１１を中心として化粧用具３２が挿入される中央部分の所定領域のみに液状化粧品が収納されることができるように空間を形成して収容部１０ｃを形成することによりパウチ１０の内部に少量の液状化粧料が収納されるようにする。
【００３１】
次に、パウチ１０の開放部１１の内側に排出部材２０の下部に形成された漏斗部２３と接地部２１を挿入し、接地部２１の周りにパウチ１０の開放部１１を緊密に接着させてパウチ１０の開放部１１に排出部材２０の結合を完了した後、接地部２１の上部に延設された排出口２２の排出孔２２ａを通じてパウチ１０の内部の収容部１０ｃに少量の液状化粧料を自動に注入する。このような液状化粧料の自動注入動作は自動化機器などを通じて行われることができ、この時、パウチ１０は排出部材２０の接地部２１の上辺縁部に形成されたレール案内部２４を利用して自動化器機などのレール上にスライド移動可能に設置されることができる。
【００３２】
上記のようにパウチ１０に液状化粧料の注入が完了されると、蓋３０に設置されたブラシまたはチップなどの化粧用具３２と支持部３１を排出孔２２ａと漏斗部２３の下辺縁出口２３ａを通じて順次に挿入しながら蓋３０の排出部材結合部３６及びねじ溝３６ａに排出口２２の外周面の螺糸山２２ｂが対応するようにして蓋３０を排出部材２０の排出口２２にねじ結合することにより、蓋３０でパウチ１０を初めて密封することができる。この時、蓋３０と排出部材２０との間の結合深みは蓋ストッパ２６によって適正に制限されることができ、排出孔２２ａの内部に挿入されて下部に移動される化粧用具３２は接地部２１の下辺縁部に形成された漏斗部２３によって挿入動作が案内されながら上下移動が案内されることができ、またパウチ１０の内側に挿入された支持部３１は漏斗部２３の下辺縁出口２３ａによって固定されることができるのでパウチ１０の内部での左右流動が防止されることができ、追後化粧用具３２の引出時、化粧用具３２が漏斗部２３の下辺縁出口２３ａによって適量圧縮された状態で引出されることができるので、スポンジまたはブラシなどで構成された化粧用具３２に化粧料が過多に吸収されている場合化粧用具３２に化粧料が過多についた状態で引出されることを防止することができる。
【００３３】
一方、このような蓋３０の下辺縁部には仮切り取り線３４ａの切断によって蓋３０から本体が自由に分離される帯バンド３４が一体に形成され、このような帯バンド３４にはその内周面に排出部材２０の帯バンドストッパ２５が挿入及び安着されることができる複数の帯バンドストッパ安着溝３４ｂが形成され、また排出口２２の本体の下部外周面には接地部２１でその上部へ所定間隔離隔された位置の高さに蓋３０と排出部材２０との間の結合深みを制限するための蓋ストッパ２６と、蓋ストッパ２６の下部の帯バンドストッパ２５が排出口２２の本体の外周面に沿って放射状に突出されて所定間隔離隔されるように複数が形成されているので、上記のように蓋３０でパウチ１０を最初密封すれば、その後には排出部材２０に形成された帯バンドストッパ２５と蓋３０の帯バンド３４の内側に形成された複数の帯バンドストッパ安着溝３４ｂによって蓋３０の帯バンド回転動作が暫定的に制限されることができる。
【００３４】
上記のように最初密閉が行われると、本発明のパウチ型液状メーキャップ化粧品容器は、追後自動化システムまたは装置での製造工程の間の移動または自動販売機などでの無人販売のための収納、展示または販売に必要なレール上でスライド移動がレール案内部２４を通じて行われることができる。
【００３５】
最後に、パウチ１０に収納された化粧料を用いるために取っ手３３を把持して蓋３０のねじ結合を分離する方向に所定の大きさ（例えば、仮切り取り線を切断することができる大きさの力であり得る）の回転力を蓋３０に加えれば（またはその他の外力を加えれば）、蓋３０の仮切り取り線３４ａの下部本体、即ち排出部材２０に形成された帯バンドストッパ２５と蓋３０の帯バンド３４の内側に形成された複数の帯バンドストッパ安着溝３４ｂによって回転動作が制限されている帯バンド３４は回転しないが、蓋３０の仮切り取り線３４ａの上部本体には取っ手３３に加えられる回転力が一方向（例えばねじ結合を分離する方向）に作用することになる。従って、仮切り取り線３４ａを切断することができる大きさの力が加えられる場合、仮切り取り線３４ａが切断されながら、帯バンド３４が蓋３０から本体が自由に分離されてパウチ１０を初めて開放することができる。従って、本発明によるパウチ型液状メーキャップ化粧品容器は、このような仮切り取り線３４ａの切断によって蓋３０の最初開放可否を使用者に確認させることができる。
【００３６】
その後、必要によって排出部材２０の排出口２２に蓋３０をねじ結合してパウチ１０の内部を密閉したり、排出部材２０から蓋３０を分離して蓋３０の内側の化粧用具３２（ブラシまたはチップ）に適量の化粧料をつけて引出することができるようになるので、自由にメーキャップをすることができるようになる。
【００３７】
一方、このような蓋３０に付加的に設置された化粧用具３２は支持部３１の辺縁部の組立具３１ａと化粧用具３２の上辺縁部の結合部３２ａを利用して着脱可能にねじ結合されることができるので、必要によって便利にブラシまたはチップに互換したり新しいもので取り替えて用いることができる。
【００３８】
以上の本発明によれば、リップグロス、マスカラ、アイライナーなどの液状化粧品が数回用いることができるほどの少量でパウチ１０に収容されるので携帯が簡便であり、パウチの表面一側に付着された反射体を化粧時に簡易鏡として利用することができるので、室内外で便利にパウチに収容された化粧料を取って用いることができるという利点がある。
【００３９】
また、本発明によれば、帯バンドを利用してブラシなどの既使用有無を確認することができ、レール移動案内手段を利用して自動販売機などでの展示及び販売が容易になることはもちろん、蓋の上辺縁部に延設された取っ手を利用して安定的な把持ができるので、微細なタッチを可能にして従来の化粧品容器の短所を補うことができ、色に敏感な若年層の多様な欲求を充足することができるという利点を提供することができる。
【００４０】
以上のように、本発明は限定された実施例と図面によって説明されたが、本発明は上記の実施例に限定されるのではなく、これは本発明が属する分野で通常の知識を有する者であればこのような記載から多様な修正及び変形が可能である。従って、本発明の思想は以下に記載された特許請求範囲のみによって把握されるべきであり、その均等または等価的変形はいずれも本発明の思想の範疇に属するものとすべきである。
【図１】
2021526440.tif 000003
【図２】
2021526440.tif 000004
【図３】
2021526440.tif 000005
【国際調査報告】
2021526440.tif 000006
2021526440.tif 000007
2021526440.tif 000008
2021526440.tif 000009